(57)【要約】【課題】出力の故障時において出力を補償することが可能な音響用出力装置を提供する。【解決手段】音響用出力装置は、入力信号を複数の変換信号に変換して出力する出力変換器を備える。音響用出力装置は、複数の変換信号に対応して一対一に設けられ、前記出力変換器により制御され、前記出力変換器からそれぞれ入力された変換信号を増幅した出力信号を、出力にそれぞれ接続される負荷に出力する複数のアンプを備える。音響用出力装置は、前記複数のアンプの出力をモニタして、故障を検出した場合には検出結果を前記出力変換器に出力する検出器を備える。【選択図】図１
2014183543.tif 000002
【特許請求の範囲】
【請求項１】
入力信号を複数の変換信号に変換して出力する出力変換器と、
前記複数の変換信号に対応して一対一に設けられ、前記出力変換器により制御され、前記出力変換器からそれぞれ入力された変換信号を増幅した出力信号を、出力にそれぞれ接続される負荷に出力する複数のアンプと、
前記複数のアンプの出力の故障を検出した場合には検出結果を前記出力変換器に出力する検出器と、を備え、
前記出力変換器は、
前記検出器により前記複数のアンプのうちのアンプの出力の故障が検出された場合には、前記出力の故障が検出された前記アンプの動作を停止させ、
さらに、前記出力の故障が検出された前記アンプの動作を停止させた後における各負荷に流れる出力信号を合成した信号の、前記入力信号に対する音響特性が、前記出力の故障が検出される前における各負荷に流れる出力信号を合成した信号の、前記入力信号に対する音響特性に近づくように、前記複数のアンプのうちの出力の故障が検出されていない残りのアンプに出力する前記変換信号を生成する
ことを特徴とする音響用出力装置。
【請求項２】
前記出力変換器は、
前記検出器により前記複数のアンプのうちのアンプの出力の故障が検出された場合には、前記複数のアンプのうちの出力の故障が検出されていない前記残りのアンプの動作周波数を変更するように、前記変換信号を生成する
ことを特徴とする請求項１に記載の音響用出力装置。
【請求項３】
電源電圧を昇圧した昇圧電圧を前記複数のアンプにそれぞれ供給する昇圧回路をさらに備え、
前記複数のアンプが出力する信号の振幅は、前記昇圧電圧の上昇に応じて増加するようになっており、
前記昇圧回路は、
前記検出器により前記複数のアンプのうちのアンプの出力の故障が検出された場合には、前記複数のアンプのうちの故障が検出されていない前記残りのアンプに供給する前記昇圧電圧を上昇させる
ことを特徴とする請求項１または２に記載の音響用出力装置。
【請求項４】
前記検出器は、
前記複数のアンプの出力と、前記負荷が接続される出力端子と、の間の配線に流れる電流または電圧をモニタすることにより、前記アンプの出力の故障を検出する
ことを特徴とする請求項１ないし３のいずれか一項に記載の音響用出力装置。
【請求項５】
前記負荷は、スピーカのボイスコイルであることを特徴とする請求項１に記載の音響用出力装置。
【請求項６】
前記出力変換器は、
前記検出器により前記複数のアンプのうちのアンプの出力の故障が検出された場合には、前記入力信号を変換して、前記複数のアンプのうちの出力の故障が検出されていない残りのアンプに出力する変換信号のみを生成する
ことを特徴とする請求項１に記載の音響用出力装置。
【発明の詳細な説明】
【技術分野】
【０００１】
本発明の実施形態は、音響用出力装置に関する。
【背景技術】
【０００２】
従来、複数の出力で一つのデバイスを駆動させるシステムがある。
【先行技術文献】
【特許文献】
【０００３】
【特許文献１】特開２００８−３１１８０１
【発明の概要】
【発明が解決しようとする課題】
【０００４】
出力の故障時において出力を補償することが可能な音響用出力装置を提供する。
【課題を解決するための手段】
【０００５】
実施例に従った音響用出力装置は、入力信号を複数の変換信号に変換して出力する出力変換器を備える。音響用出力装置は、前記複数の変換信号に対応して一対一に設けられ、前記出力変換器により制御され、前記出力変換器からそれぞれ入力された変換信号を増幅した出力信号を、出力にそれぞれ接続される負荷に出力する複数のアンプを備える。音響用出力装置は、前記複数のアンプの出力の故障を検出した場合には検出結果を前記出力変換器に出力する検出器を備える。
【０００６】
前記出力変換器は、前記検出器により前記複数のアンプのうちのアンプの出力の故障が検出された場合には、前記出力の故障が検出された前記アンプの動作を停止させ、さらに、前記出力の故障が検出された前記アンプの動作を停止させた後における各負荷に流れる出力信号を合成した信号の、前記入力信号に対する音響特性が、前記出力の故障が検出される前における各負荷に流れる出力信号を合成した信号の、前記入力信号に対する音響特性に近づくように、前記複数のアンプのうちの出力の故障が検出されていない残りのアンプに出力する前記変換信号を生成する。
【図面の簡単な説明】
【０００７】
【図１】図１は、実施例１に係る音響用出力装置１００の構成の一例を示す図である。
【図２】図２は、図１に示す音響用出力装置１００の第１のアンプの出力に故障が発生した状態の一例を示す図である。
【図３】図３は、実施例２に係る音響用出力装置２００の構成の一例を示す図である。
【発明を実施するための形態】
【０００８】
なお、以下の実施例では、一例として、出力変換器が出力する変換信号と、アンプと、負荷（ボイスコイル）との組が３個の場合について説明する。
【０００９】
しかし、出力変換器が出力する変換信号と、アンプと、負荷（ボイスコイル）との組が２個、又は４個以上の複数の場合についても同様に説明される。
【００１０】
以下、各実施例について図面に基づいて説明する。
【実施例１】
【００１１】
図１は、実施例１に係る音響用出力装置１００の構成の一例を示す図である。
【００１２】
図１に示すように、音響用出力装置１００は、入力端子Ｔｉｎ＋、Ｔｉｎ−と、複数の出力端子Ｔ１＋、Ｔ１−、Ｔ２＋、Ｔ２−、Ｔ３＋、Ｔ３−と、出力変換器ＣＮと、複数のアンプＡｍｐ１〜Ａｍｐ３と、検出器ＤＥと、を備える。  
入力端子Ｔｉｎ＋、Ｔｉｎ−は、音楽信号である入力信号Ｓ＋、Ｓ−が入力されるようになっている。
【００１３】
なお、入力信号Ｓ＋、Ｓ−は、アナログ信号であるが、デジタル信号であってもよい。また、本実施例では、入力信号Ｓ＋、Ｓ−は、差動信号であるが、単相信号であってもよい。また、入力信号が入力される入力線は、２本に限られず、３本以上の場合もある。
【００１４】
出力端子Ｔ１＋、Ｔ１−、Ｔ２＋、Ｔ２−、Ｔ３＋、Ｔ３−は、出力信号ＯＵＴ１＋、ＯＵＴ１−、ＯＵＴ２＋、ＯＵＴ２−、ＯＵＴ３＋、ＯＵＴ３−を出力するようになっている。出力信号ＯＵＴ１＋、ＯＵＴ１−、出力信号ＯＵＴ２＋、ＯＵＴ２−、および出力信号ＯＵＴ３＋、ＯＵＴ３−は、差動信号である。
【００１５】
そして、出力端子Ｔ１＋、Ｔ１−間には、負荷Ｌ１が接続されている。また、出力端子Ｔ２＋、Ｔ２−間には、負荷Ｌ２が接続されている。また、出力端子Ｔ３＋、Ｔ３−間には、負荷Ｌ３が接続されている。
【００１６】
なお、負荷Ｌ１〜Ｌ３は、例えば、図１に示すように、スピーカＸのボイスコイルである。そして、この負荷（ボイスコイル）Ｌ１〜Ｌ３に出力信号ＯＵＴ１＋、ＯＵＴ１−、ＯＵＴ２＋、ＯＵＴ２−、ＯＵＴ３＋、ＯＵＴ３−が供給されることにより、スピーカＸから入力信号Ｓ＋、Ｓ−に応じた音が出力される。
【００１７】
出力変換器ＣＮは、入力信号Ｓ＋、Ｓ−を複数の変換信号ＳＣ１〜ＳＣ３に変換して出力するようになっている。
【００１８】
なお、変換信号ＳＣ１〜ＳＣ３は、アナログ信号であるが、デジタル信号であってもよい。
【００１９】
すなわち、出力変換器ＣＮは、入力信号Ｓ＋、Ｓ−を、デジタル／アナログ変換、アナログ／デジタル変換、デジタル／デジタル変換、または、アナログ／アナログ変換した信号を変換信号ＳＣ１〜ＳＣ３として出力する。
【００２０】
したがって、この出力変換器ＣＮは、例えば、ＡＤ変換器、複数出力を持つＤＡＣ、又は、単純な加算器等で構成される。
【００２１】
また、複数のアンプＡｍｐ１〜Ａｍｐ３は、複数の変換信号ＳＣ１〜ＳＣ３に対応して一対一に設けられている。
【００２２】
そして、この複数のアンプＡｍｐ１〜Ａｍｐ３は、出力変換器ＣＮにより制御され、出力変換器ＣＮからそれぞれ入力された変換信号ＳＣ１〜ＳＣ３を増幅した出力信号ＯＵＴ１＋、ＯＵＴ１−、ＯＵＴ２＋、ＯＵＴ２−、ＯＵＴ３＋、ＯＵＴ３−を、出力にそれぞれ接続される負荷Ｌ１〜Ｌ３に出力するようになっている。
【００２３】
すなわち、アンプＡｍｐ１は、変換信号ＳＣ１が入力され、この変換信号ＳＣ１を増幅した出力信号ＯＵＴ１＋、ＯＵＴ１−を、出力端子Ｔ１＋、Ｔ１−を介して、負荷（ボイスコイル）Ｌ１に出力するようになっている。
【００２４】
また、アンプＡｍｐ２は、変換信号ＳＣ２が入力され、この変換信号ＳＣ２を増幅した出力信号ＯＵＴ２＋、ＯＵＴ２−を、出力端子Ｔ２＋、Ｔ２−を介して、負荷（ボイスコイル）Ｌ２に出力するようになっている。
【００２５】
また、アンプＡｍｐ３は、変換信号ＳＣ３が入力され、この変換信号ＳＣ３を増幅した出力信号ＯＵＴ３＋、ＯＵＴ３−を、出力端子Ｔ３＋、Ｔ３−を介して、負荷（ボイスコイル）Ｌ３に出力するようになっている。
【００２６】
検出器ＤＥは、複数のアンプＡｍｐ１〜Ａｍｐ３の出力をモニタして、出力の故障を検出した場合には検出結果を出力変換器ＣＮに出力するようになっている。
【００２７】
例えば、検出器ＤＥは、複数のアンプＡｍｐ１〜Ａｍｐ３の出力と、負荷Ｌ１〜Ｌ３が接続される出力端子と、の間の配線に流れる電流または電圧をモニタするようになっている。そして、検出器ＤＥは、例えば、これらの配線に流れる電流または電圧をモニタした結果に基づいて、アンプＡｍｐ１〜Ａｍｐ３の出力の故障を検出する。
【００２８】
ここで、上記故障には、例えば、アンプＡｍｐ１〜Ａｍｐ３を構成する素子の特性の劣化（破壊）、配線の断線・短絡等が含まれる。このような故障が発生した場合、配線に流れる電流または電圧が所定値を超えて変化する。そこで、検出器ＤＥは、例えば、モニタされた電流または電圧と閾値を比較することにより、アンプＡｍｐ１〜Ａｍｐ３の出力の故障を検出する。
【００２９】
なお、検出器ＤＥは、音響用出力装置１００の外部に上記検出結果を出力するようにしてもよい。また、検出器ＤＥは、音響用出力装置１００の外部に上記検出結果を表示するようにしてもよい。
【００３０】
ここで、出力変換器ＣＮは、上記検出器ＤＥにより複数のアンプＡｍｐ１〜Ａｍｐ３のうちのアンプの出力の故障が検出された場合には、出力の故障が検出されたアンプの動作を停止させるようになっている。
【００３１】
さらに、出力変換器ＣＮは、出力の故障が検出されたアンプの動作を停止させた後における各負荷に流れる出力信号を合成した信号の、入力信号Ｓ＋、Ｓ−に対する音響特性（例えば、歪み特性）が、出力の故障が検出される前における各負荷に流れる出力信号を合成した信号の、入力信号Ｓ＋、Ｓ−に対する音響特性に近づくように、複数のアンプＡｍｐ１〜Ａｍｐ３のうちの出力の故障が検出されていない残りのアンプに出力する変換信号を生成するようになっている。
【００３２】
言い換えれば、出力変換器ＣＮは、上記検出器ＤＥにより複数のアンプＡｍｐ１〜Ａｍｐ３のうちのアンプＡｍｐ１の出力の故障が検出された場合には、入力信号Ｓ＋、Ｓ−を変換して、複数のアンプＡｍｐ１〜Ａｍｐ３のうちの出力の故障が検出されていない残りのアンプＡｍｐ２、Ａｍｐ３に出力する変換信号ＳＣ２、ＳＣ３のみを生成するようになっている。
【００３３】
より具体的には、例えば、出力変換器ＣＮは、上記検出器ＤＥにより複数のアンプＡｍｐ１〜Ａｍｐ３のうちのアンプＡｍｐ１の出力の故障が検出された場合には、複数のアンプＡｍｐ１〜Ａｍｐ３のうちの出力の故障が検出されていない残りのアンプの動作周波数を変更するように、変換信号を生成するようになっている。
【００３４】
また、出力変換器ＣＮは、複数のアンプＡｍｐ１〜Ａｍｐ３のうちの出力の故障が検出されていない残りのアンプＡｍｐ２、Ａｍｐ３の量子化精度を向上させ、又は、残りのアンプＡｍｐ２、Ａｍｐ３の出力周波数を下げるように、変換信号ＳＣ２、ＳＣ３を生成してもよい。
【００３５】
次に、以上のような構成を有する音響用出力装置１００が出力を補償する動作の一例について説明する。ここで、図２は、図１に示す音響用出力装置１００の第１のアンプＡｍｐ１の出力に故障が発生した状態の一例を示す図である。なお、ここでは、図２に基づいて、第１のアンプＡｍｐ１の出力に故障が発生した場合の動作について説明するが、第２、第３のアンプＡｍｐ２、Ａｍｐ３の出力に故障が発生した場合の動作についても同様である。
【００３６】
先ず、検出器ＤＥが、複数のアンプＡｍｐ１〜Ａｍｐ３の出力をモニタして、アンプＡｍｐ１の出力の故障（図２）を検出すると、この検出結果を出力変換器ＣＮに出力する。
【００３７】
このとき、既述のように、検出器ＤＥは、音響用出力装置１００の外部に上記検出結果を出力するようにしてもよい。また、検出器ＤＥは、音響用出力装置１００の外部に上記検出結果を表示するようにしてもよい。
【００３８】
そして、出力変換器ＣＮは、上記検出器ＤＥにより複数のアンプＡｍｐ１〜Ａｍｐ３のうちのアンプＡｍｐ１の出力の故障が検出された検出結果を受けて、出力の故障が検出されたアンプＡｍｐ１の動作を停止させる。
【００３９】
さらに、出力変換器ＣＮは、出力の故障が検出されたアンプＡｍｐ１の動作を停止させた後における負荷Ｌ２、Ｌ３に流れる出力信号ＯＵＴ２＋、ＯＵＴ２−、ＯＵＴ３＋、ＯＵＴ３−を合成した信号の、入力信号Ｓ＋、Ｓ−に対する音響特性が、出力の故障が検出される前における各負荷Ｌ１〜Ｌ３に流れる出力信号ＯＵＴ１＋、ＯＵＴ１−、ＯＵＴ２＋、ＯＵＴ２−、ＯＵＴ３＋、ＯＵＴ３−を合成した信号の、入力信号Ｓ＋、Ｓ−に対する音響特性に近づくように、複数のアンプＡｍｐ１〜Ａｍｐ３のうちの出力の故障が検出されていない残りのアンプＡｍｐ２、Ａｍｐ３に出力する変換信号ＳＣ２、ＳＣ３を生成する。
【００４０】
より具体的には、例えば、出力変換器ＣＮは、上記検出器ＤＥにより複数のアンプＡｍｐ１〜Ａｍｐ３のうちのアンプＡｍｐ１の出力の故障が検出された場合には、複数のアンプＡｍｐ１〜Ａｍｐ３のうちの出力の故障が検出されていない残りのアンプＡｍｐ２、Ａｍｐ３の動作周波数を変更するように、変換信号ＳＣ２、ＳＣ３を生成する。
【００４１】
また、他の例としては、出力変換器ＣＮは、複数のアンプＡｍｐ１〜Ａｍｐ３のうちの出力の故障が検出されていない残りのアンプＡｍｐ２、Ａｍｐ３の量子化精度を向上させ、又は、残りのアンプＡｍｐ２、Ａｍｐ３の出力周波数を下げるように、変換信号ＳＣ２、ＳＣ３を生成するようにしてもよい。
【００４２】
そして、アンプＡｍｐ２、Ａｍｐ３は、出力変換器ＣＮからそれぞれ入力された変換信号ＳＣ２、ＳＣ３を増幅した出力信号ＯＵＴ２＋、ＯＵＴ２−、ＯＵＴ３＋、ＯＵＴ３−を、出力にそれぞれ接続される負荷Ｌ２、Ｌ３に出力する。
【００４３】
そして、この負荷（ボイスコイル）Ｌ２、Ｌ３に出力信号ＯＵＴ２＋、ＯＵＴ２−、ＯＵＴ３＋、ＯＵＴ３−が供給されることにより、スピーカＸから入力信号Ｓ＋、Ｓ−に応じた音が出力される。
【００４４】
ここで、既述の出力変換器ＣＮの動作により、負荷Ｌ２、Ｌ３に流れる出力信号を合成した信号の入力信号Ｓ＋、Ｓ−に対する音響特性が、出力の故障が検出される前における各負荷Ｌ１〜Ｌ３に流れる出力信号を合成した信号の、入力信号Ｓ＋、Ｓ−に対する音響特性に近づくように設定されている。
【００４５】
これにより、音響特性（例えば、歪み特性）の劣化を低減することができ、故障の影響を最小限にすることが可能となる。
【００４６】
以上のように、本実施例１に係る音響用出力装置によれば、出力の故障時において出力を補償することができる。
【実施例２】
【００４７】
図３は、実施例２に係る音響用出力装置２００の構成の一例を示す図である。なお、この図３において、図１と同じ符号は、実施例１と同様の構成を示す。そして、図３は、音響用出力装置２００の第１のアンプＡｍｐ１の出力に故障が発生した状態の一例を示している。
【００４８】
図３に示すように、音響用出力装置２００は、例えば、入力端子Ｔｉｎ＋、Ｔｉｎ−と、複数の出力端子Ｔ１＋、Ｔ１−、Ｔ２＋、Ｔ２−、Ｔ３＋、Ｔ３−と、出力変換器ＣＮと、複数のアンプＡｍｐ１〜Ａｍｐ３と、検出器ＤＥと、昇圧回路Ｚと、を備える。
【００４９】
このように、音響用出力装置２００は、実施例１の音響用出力装置１００と比較して、昇圧回路Ｚをさらに備える。
【００５０】
この昇圧回路Ｚは、電源電圧を昇圧した昇圧電圧を複数のアンプＡｍｐ１〜Ａｍｐ３にそれぞれ供給するようになっている。
【００５１】
また、昇圧回路Ｚは、検出器ＤＥから既述の検出結果が入力されるようになっている。
【００５２】
なお、図３に示すように、電源電圧は、電源ＰからコイルＬを介して、昇圧回路Ｚに供給されるようになっている。また、昇圧回路Ｚの出力に接続されたキャパシタＣは、昇圧電圧を平滑化するためのものである。
【００５３】
ここで、複数のアンプＡｍｐ１〜Ａｍｐ３が出力する信号の振幅は、昇圧回路Ｚから供給される昇圧電圧の上昇に応じて増加するようになっている。
【００５４】
そして、昇圧回路Ｚは、検出器ＤＥにより複数のアンプＡｍｐ１〜Ａｍｐ３のうちのアンプの出力の故障が検出された場合には、複数のアンプＡｍｐ１〜Ａｍｐ３のうちの出力の故障が検出されていない残りのアンプに供給する昇圧電圧を上昇させるようになっている。
【００５５】
なお、音響用出力装置２００のその他の構成は、実施例１の音響用出力装置１００と同様である。
【００５６】
次に、以上のような構成を有する音響用出力装置２００が出力を補償する動作の一例について説明する。
【００５７】
先ず、検出器ＤＥが、複数のアンプＡｍｐ１〜Ａｍｐ３の出力をモニタして、アンプＡｍｐ１の出力の故障（図３）を検出すると、この検出結果を出力変換器ＣＮおよび昇圧回路Ｚに出力する。
【００５８】
そして、出力変換器ＣＮは、上記検出器ＤＥにより複数のアンプＡｍｐ１〜Ａｍｐ３のうちのアンプＡｍｐ１の出力の故障が検出された検出結果を受けて、出力の故障が検出されたアンプＡｍｐ１の動作を停止させる。
【００５９】
さらに、出力変換器ＣＮは、出力の故障が検出されたアンプＡｍｐ１の動作を停止させた後における負荷Ｌ２、Ｌ３に流れる出力信号ＯＵＴ２＋、ＯＵＴ２−、ＯＵＴ３＋、ＯＵＴ３−を合成した信号の、入力信号Ｓ＋、Ｓ−に対する音響特性が、出力の故障が検出される前における各負荷Ｌ１〜Ｌ３に流れる出力信号ＯＵＴ１＋、ＯＵＴ１−、ＯＵＴ２＋、ＯＵＴ２−、ＯＵＴ３＋、ＯＵＴ３−を合成した信号の、入力信号Ｓ＋、Ｓ−に対する音響特性に近づくように、複数のアンプＡｍｐ１〜Ａｍｐ３のうちの出力の故障が検出されていない残りのアンプＡｍｐ２、Ａｍｐ３に出力する変換信号ＳＣ２、ＳＣ３を生成する。
【００６０】
さらに、昇圧回路Ｚは、検出器ＤＥにより複数のアンプＡｍｐ１〜Ａｍｐ３のうちのアンプＡｍｐ１の出力の故障が検出された検出結果を受けて、複数のアンプＡｍｐ１〜Ａｍｐ３のうちの出力の故障が検出されていない残りのアンプＡｍｐ２、Ａｍｐ３に供給する昇圧電圧を上昇させる。
【００６１】
これにより、アンプＡｍｐ２、Ａｍｐ３が出力する信号の振幅は、昇圧回路Ｚから供給される昇圧電圧の上昇に応じて増加する。
【００６２】
そして、アンプＡｍｐ２、Ａｍｐ３は、出力変換器ＣＮからそれぞれ入力された変換信号ＳＣ２、ＳＣ３を増幅した出力信号ＯＵＴ２＋、ＯＵＴ２−、ＯＵＴ３＋、ＯＵＴ３−を、出力にそれぞれ接続される負荷Ｌ２、Ｌ３に出力する。
【００６３】
そして、この負荷（ボイスコイル）Ｌ２、Ｌ３に出力信号ＯＵＴ２＋、ＯＵＴ２−、ＯＵＴ３＋、ＯＵＴ３−が供給されることにより、スピーカＸから入力信号Ｓ＋、Ｓ−に応じた音が出力される。
【００６４】
ここで、既述の出力変換器ＣＮの動作により、負荷Ｌ２、Ｌ３に流れる出力信号を合成した信号の入力信号Ｓ＋、Ｓ−に対する音響特性が、出力の故障が検出される前における各負荷Ｌ１〜Ｌ３に流れる出力信号を合成した信号の、入力信号Ｓ＋、Ｓ−に対する音響特性に近づくように設定されている。
【００６５】
さらに、アンプＡｍｐ２、Ａｍｐ３が出力する信号の振幅は、昇圧回路Ｚから供給される昇圧電圧の上昇に応じて増加している。すなわち、故障発生時に１出力当たりの最大振幅電圧が底上げされる。
【００６６】
これにより、音響特性（例えば、歪み特性）の劣化を低減しつつ、出力レベルの低下を抑制することができ、故障の影響を最小限にすることが可能となる。
【００６７】
なお、音響用出力装置２００のその他の動作は、実施例１の音響用出力装置１００と同様である。
【００６８】
すなわち、本実施例２に係る音響用出力装置２００によれば、出力の故障時において、より特性の劣化を抑制するように、出力を補償することができる。
【００６９】
なお、実施形態は例示であり、発明の範囲はそれらに限定されない。
【符号の説明】
【００７０】
１００、２００  音響用出力装置
Ｔｉｎ＋、Ｔｉｎ−  入力端子
Ｔ１＋、Ｔ１−、Ｔ２＋、Ｔ２−、Ｔ３＋、Ｔ３−  出力端子
ＣＮ  出力変換器
Ａｍｐ１〜Ａｍｐ３  アンプ
ＤＥ  検出器
Ｚ  昇圧回路
Ｓ＋、Ｓ−  入力信号（音楽信号）
ＳＣ１、ＳＣ２、ＳＣ３  変換信号
ＯＵＴ１＋、ＯＵＴ１−、ＯＵＴ２＋、ＯＵＴ２−、ＯＵＴ３＋、ＯＵＴ３−  出力信号
Ｌ１、Ｌ２、Ｌ３  負荷（ボイスコイル）
Ｘ  スピーカ
【図１】
2014183543.tif 000003
【図２】
2014183543.tif 000004
【図３】
2014183543.tif 000005